(57)【要約】      （修正有）【課題】無線機を立てて設置可能であって、設置作業が容易で安全に作業することができる無線機収容架台および無線基地局を提供する。【解決手段】フレーム１０と、固定レール部材と、可動レール部材３０と、支持部材４０とを有する。フレームは内部に収容部を有する。固定レール部材は、フレームの内側に横方向に伸びるよう設けられる。可動レール部材は、固定レール部材に対し長さ方向に沿ってスライドしてフレームの外側に突出可能に設けられる。支持部材は、フレームの内側および外側に選択的に配置可能に可動レール部材に取り付けられ、無線機５０を立てた状態で取り付けられる。無線基地局は、無線機収容架台と、無線機とを有する。無線機は、各支持部材に取り付けられている。各無線機はフレームの各側面でそれぞれずれた位置に配置されている。【選択図】図２
0003234275.tif 000002
【実用新案登録請求の範囲】
【請求項１】
内部に収容部を有するフレームと、
前記フレームの内側に横方向に伸びるよう設けられた固定レール部材と、
前記固定レール部材に対し長さ方向に沿ってスライドして前記フレームの外側に突出可能に設けられた可動レール部材と、
前記フレームの内側および外側に選択的に配置可能に前記可動レール部材に取り付けられた、無線機を立てた状態で取り付けるための支持部材とを、
有することを特徴とする無線機収容架台。
【請求項２】
前記フレームは開放した正面と、前記正面を挟んで互いに対向する２つの側面とを有し、
前記固定レール部材は前記フレームの各側面の内側に１つまたは複数設けられ、各固定レール部材は上側固定レール部材と下側固定レール部材とから成り、前記上側固定レール部材と前記下側固定レール部材とは互いに平行であって、前記上側固定レール部材は前記下側固定レール部材より上側に配置され、
前記可動レール部材は複数から成り、それぞれ各上側固定レール部材および各下側固定レール部材にスライド可能に設けられ、
前記支持部材は複数から成り、それぞれ各固定レール部材ごとに上側および下側の各可動レール部材に取り付けられていることを、
特徴とする請求項１記載の無線機収容架台。
【請求項３】
請求項２記載の無線機収容架台と、
各支持部材に取り付けられた無線機とを有し、
各無線機は前記フレームの各側面でそれぞれずれた位置に配置されていることを、
特徴とする無線基地局。
【考案の詳細な説明】
【技術分野】
【０００１】
本考案は、無線機収容架台および無線基地局に関する。
【背景技術】
【０００２】
ネットワークに接続された無線基地局とスマートフォンなどの携帯情報端末との間で無線通信を行うため、屋外に設置される無線基地局と屋内に設置される無線基地局とがある。従来、屋内の無線基地局には、機器ユニットを搭載するマウントレールを備えた電気電子機器収納用ラックが用いられ、ユニット型棚板に無線子機を平置きし、設置していた（例えば、特許文献１参照）。
【先行技術文献】
【特許文献】
【０００３】
【特許文献１】特開２０１９−１７９８３９号公報
【考案の概要】
【考案が解決しようとする課題】
【０００４】
しかしながら、近年、第５世代移動通信システム（５Ｇ）が使用されるようになり、その無線子機は平置きで設置することができず、立てて設置する必要があることから、特許文献１に記載の電気電子機器収納用ラックは使用できないという課題があった。また、特許文献１に記載の電気電子機器収納用ラックは、約３０ｋｇの重量がある無線子機を２人の作業員で内部に設置するには狭くて作業が困難なうえ、機器を落下させるリスクを伴うという課題があった。
【０００５】
本考案は、このような課題に着目してなされたもので、無線機を立てて設置可能であって、設置作業が容易で安全に作業することができる無線機収容架台および無線基地局を提供することを目的とする。
【課題を解決するための手段】
【０００６】
上記目的を達成するために、本考案に係る無線機収容架台は、内部に収容部を有するフレームと、前記フレームの内側に横方向に伸びるよう設けられた固定レール部材と、前記固定レール部材に対し長さ方向に沿ってスライドして前記フレームの外側に突出可能に設けられた可動レール部材と、前記フレームの内側および外側に選択的に配置可能に前記可動レール部材に取り付けられた、無線機を立てた状態で取り付けるための支持部材とを、有することを特徴とする。
【０００７】
本考案に係る無線機収容架台は、支持部材に無線機を立てた状態で取り付けられる。支持部材は、可動レール部材に取り付けられ、可動レール部材は固定レール部材に対し長さ方向に沿ってスライドするため、支持部材に取り付けられた無線機をフレームの内側および外側に選択的に配置可能である。このため、設置作業やメンテナンス作業の際には支持部材をフレームの外側に配置することにより、容易かつ安全に作業することができる。作業が終了したならば、無線機をフレームの内側に収容する。
【０００８】
本考案に係る無線機収容架台において、前記フレームは開放した正面と、前記正面を挟んで互いに対向する２つの側面とを有し、前記固定レール部材は前記フレームの各側面の内側に１つまたは複数設けられ、各固定レール部材は上側固定レール部材と下側固定レール部材とから成り、前記上側固定レール部材と前記下側固定レール部材とは互いに平行であって、前記上側固定レール部材は前記下側固定レール部材より上側に配置され、前記可動レール部材は複数から成り、それぞれ各上側固定レール部材および各下側固定レール部材にスライド可能に設けられ、前記支持部材は複数から成り、それぞれ各固定レール部材ごとに上側および下側の各可動レール部材に取り付けられていることが好ましい。
【０００９】
この場合、フレームの対向する２つの側面の内側にそれぞれ１つまたは複数の支持部材が設けられ、可動レール部材とともに固定レール部材に沿ってスライド可能なので、複数の無線機を立てた状態で取り付け、設置作業やメンテナンス作業を容易かつ安全に行うことができる。また、固定レール部材は上側固定レール部材と下側固定レール部材とから成り、それぞれにスライド可能に設けられた可動レール部材に支持部材は取り付けられているので、支持部材に取り付けられた無線機を安定してスライドさせることができる。
【００１０】
本考案に係る無線基地局は、前述の無線機収容架台と、各支持部材に取り付けられた無線機とを有し、各無線機は前記フレームの各側面でそれぞれずれた位置に配置されていることを、特徴とする。
本考案に係る無線基地局は、無線機を立てて設置可能であって、可動レール部材を固定レール部材に対しスライドさせて、支持部材に取り付けられた無線機をフレームの内側および外側に選択的に配置可能である。このため、無線機をフレームの外側に配置して、設置作業やメンテナンス作業を容易かつ安全に行うことができる。また、各無線機はフレームの各側面でそれぞれずれた位置に配置されているので、設置スペースを有効利用することができる。
【考案の効果】
【００１１】
本考案によれば、無線機を立てて設置可能であって、設置作業が容易で安全に作業することができる無線機収容架台および無線基地局を提供することができる。
【図面の簡単な説明】
【００１２】
【図１】本考案の実施の形態の無線機収容架台を示す正面図である。
【図２】図１の無線機収容架台の右内側面図である。
【図３】図１の無線機収容架台の左内側面図である。
【図４】図１の無線機収容架台の背面図である。
【図５】図１の無線機収容架台の平面図である。
【図６】図１の無線機収容架台の底面図である。
【図７】図２の無線機収容架台の可動レール部材を引き出した状態を示す側面図である。
【図８】図１の無線機収容架台のＡ−Ａ線断面図である。
【考案を実施するための形態】
【００１３】
以下、図面に基づき本考案の実施の形態について説明する。
図１〜図８は、本考案の実施の形態の無線機収容架台を示している。
図１〜図３に示すように、無線機収容架台は、フレーム１０と、固定レール部材２０と、可動レール部材３０と、支持部材４０とを有している。
【００１４】
フレーム１０は、４本の柱材１１と６個の梁材１２とを有し、縦に立てた状態の直方体の１２本の辺に沿って設けられている。フレーム１０は、開放した正面と、正面を挟んで互いに対向する２つの側面とを有している。フレーム１０は、正面および背面にケーブルサポート１３を有している。ケーブルサポート１３は、柱材１１にローレットつまみ１４により取り付けられ、効率的に保守可能となっている。フレーム１０は、内部に無線機（子機）（ＲＲＨ）５０の収容部を有している。フレーム１０は、複数の棚板取付金具１５と、アースバー取付金具１６と、スリット付き棚板１７とを有している。
【００１５】
固定レール部材２０は、フレーム１０の内側に水平に横方向に伸びるよう設けられている。固定レール部材２０は、上側固定レール部材２１と下側固定レール部材２２とから成っている。上側固定レール部材２１および下側固定レール部材２２は、フレーム１０の各側面の内側にそれぞれ設けられている。上側固定レール部材２１と下側固定レール部材２２とは互いに平行であって、上側固定レール部材２１は下側固定レール部材２２より上側に配置されている。
可動レール部材３０は複数から成り、それぞれ各上側固定レール部材２１および各下側固定レール部材２２に対し長さ方向に沿ってスライドしてフレーム１０の外側に突出可能に設けられている。
【００１６】
支持部材４０は、板状であって複数から成り、それぞれ各固定レール部材２０ごとに上側および下側の各可動レール部材３０に取り付けられ、フレーム１０の内側および外側に選択的に配置可能となっている。支持部材４０は、複数のビス孔を有し、面に沿ってビスにより無線機５０を立てた状態で取り付け可能である。
無線基地局は、無線機収容架台と、各支持部材４０に取り付けられた無線機５０とを有している。各無線機５０はフレーム１０の各側面でそれぞれずれた位置に配置されている。
【００１７】
次に、作用について説明する。
無線機収容架台は、支持部材４０に複数の無線機５０を立てた状態で取り付けられる。支持部材４０は、フレーム１０の対向する２つの側面の内側にそれぞれ１つまたは複数の支持部材４０が設けられ、可動レール部材３０とともに固定レール部材２０に対し長さ方向に沿ってスライド可能なので、支持部材４０に取り付けられた無線機５０をフレーム１０の内側および外側に選択的に配置可能である。このため、設置作業やメンテナンス作業、機器の交換作業の際には、可動レール部材３０を外側に伸ばして、支持部材４０に取り付けられた無線機５０をフレーム１０の外側に配置することにより、容易かつ安全に作業することができる。
【００１８】
従来の狭い電気電子機器収納用ラックの場合、体を中に入れて作業したり、外側から中に腕を伸ばして作業したりする必要があるため、作業しづらく、特に、無線機（子機）５０は約３０ｋｇの重量があり、２人で作業する必要があるので、作業が非常に困難で、無線機５０を落下させるリスクを伴う作業であった。
これに対し、無線機収容架台は、可動レール部材３０を外側に伸ばして無線機５０をフレーム１０の外側に配置できるので、２人でも容易に作業を行うことができ、無線機５０を落下させるリスクを減少させることができる。
また、固定レール部材２０は上側固定レール部材２１と下側固定レール部材２２とから成り、それぞれにスライド可能に設けられた可動レール部材３０に支持部材４０は取り付けられているので、支持部材４０に取り付けられた無線機５０を安定してスライドさせることができる。
作業が終了したならば、無線機５０をフレーム１０の内側に収容する。
【００１９】
無線基地局は、無線機収容架台を有するため、無線機５０をフレーム１０の外側に配置して、設置作業やメンテナンス作業を容易かつ安全に行うことができる。また、各無線機５０はフレーム１０の各側面でそれぞれずれた位置に配置されているので、設置スペースを有効利用することができる。このように、無線基地局は、施工面、安全面、保守面で優れている。
【符号の説明】
【００２０】
１０  フレーム１０、１１  柱材、１２  梁材、１３  ケーブルサポート、
１４  ローレットつまみ、１５  棚板取付金具、１６  アースバー取付金具、
１７  スリット付き棚板、２０  固定レール部材、２１  上側固定レール部材、
２２  下側固定レール部材、３０  可動レール部材、４０  支持部材、５０  無線機
【図１】
0003234275.tif 000003
【図２】
0003234275.tif 000004
【図３】
0003234275.tif 000005
【図４】
0003234275.tif 000006
【図５】
0003234275.tif 000007
【図６】
0003234275.tif 000008
【図７】
0003234275.tif 000009
【図８】
0003234275.tif 000010